(57)【特許請求の範囲】
【請求項１】
機器を制御するための制御装置であって、
前記機器を制御するための信号を出力する制御回路と、
第一主面と前記第一主面と反対側の第二主面とを有し、前記制御回路が実装された基板と、
前面を含み、前記第一主面側から前記基板を覆う前側筐体と、前記前面と反対側の後面を含み、前記第二主面側から前記基板を覆う後側筐体とからなる、前記基板を収容する筐体と、
前記筐体を前方から覆う化粧カバーとを備え、
前記筐体の外側面においては、前記前側筐体及び前記後側筐体のうちの一方に、前記前側筐体及び前記後側筐体のうちの他方との合わせ目に沿って第一の突起が設けられ、
前記化粧カバーの、前記外側面と対向する内面には、第二の突起が設けられ、
前記化粧カバーは、前記第二の突起と前記第一の突起とが引っかかることにより前記筐体に取り付けられる
制御装置。
【請求項２】
前記外側面には、前後方向に延びる、前記第二の突起に対応した幅の溝部が設けられ、
前記第一の突起は、前記溝部に設けられる
請求項１に記載の制御装置。
【請求項３】
前記外側面は、前後方向において、前記合わせ目に近づくほど外方に位置するように傾斜している
請求項１または２に記載の制御装置。
【請求項４】
前記第一の突起は、前後方向と交差する方向に間隔を空けて複数設けられ、
前記第二の突起は、前記化粧カバーの前記内面に、前記第一の突起に対応して複数設けられる
請求項１〜３のいずれか１項に記載の制御装置。
【請求項５】
前記筐体は、前記外側面である第一の外側面と、前記第一の外側面の反対側の第二の外側面とを含み、
前記第一の突起は、前記第一の外側面及び前記第二の外側面のそれぞれにおいて、前記前側筐体及び前記後側筐体のうちの一方に、前記前側筐体と前記後側筐体のうちの他方との合わせ目に沿って設けられ、
前記第二の突起は、前記第一の外側面と対向する、前記化粧カバーの前記内面である第一の内面、及び、前記第二の外側面と対向する、前記化粧カバーの第二の内面のそれぞれに設けられ、
前記化粧カバーは、前記第一の内面に設けられた前記第二の突起と前記第一の外側面に設けられた前記第一の突起とが引っかかり、かつ、前記第二の内面に設けられた前記第二の突起と前記第二の外側面に設けられた前記第一の突起とが引っかかることにより前記筐体に取り付けられる
請求項１〜４のいずれか１項に記載の制御装置。
【請求項６】
前記筐体は、略直方体状であり、
前記前側筐体は、前方側の面が前記前面であり、かつ、後方側が開口した略直方体の箱状であり、
前記後側筐体は、後方側の面が前記後面であり、かつ、前方側が開口した略直方体の箱状であり、
前記化粧カバーは、後方側が開口した略直方体の箱状である
請求項１〜５のいずれか１項に記載の制御装置。
【請求項７】
さらに、
ユーザによって操作される、前記前面に配置されたボタンと、
前記後面に取り付けられる、前記筐体を壁に取り付けるための金具とを備える
請求項１〜６のいずれか１項に記載の制御装置。
【請求項８】
前記機器は、照明器具であり、
前記制御回路は、前記照明器具を調光制御するための信号を出力する
請求項１〜７のいずれか１項に記載の制御装置。
【発明の詳細な説明】
【技術分野】
【０００１】
本発明は、照明器具などの機器を制御するための制御装置に関する。
【背景技術】
【０００２】
従来、壁面などの造営面に設置される、機器を制御するための制御装置が知られている。例えば、特許文献１には、照明器具の調光レベルを操作する調光スイッチが露出するように、壁面に配設される調光制御装置が開示されている。
【先行技術文献】
【特許文献】
【０００３】
【特許文献１】特開２０１２−００４０１７号公報
【発明の概要】
【発明が解決しようとする課題】
【０００４】
ところで、上記のような制御装置の中には、回路部品が実装された基板を収容する筐体をさらに化粧カバーで覆う構造の制御装置がある。化粧カバーの取り付け方法として、筐体の後面（壁面に対向する面）に化粧カバーに設けられた爪を係合させる方法が知られているが、このような方法は、化粧カバーが取り外しにくい場合がある。
【０００５】
本発明は、化粧カバーの取り外しが容易な制御装置を提供する。
【課題を解決するための手段】
【０００６】
本発明の一態様に係る制御装置は、機器を制御するための制御装置であって、前記機器を制御するための信号を出力する制御回路と、第一主面と前記第一主面と反対側の第二主面とを有し、前記制御回路が実装された基板と、前面を含み、前記第一主面側から前記基板を覆う前側筐体と、前記前面と反対側の後面を含み、前記第二主面側から前記基板を覆う後側筐体とからなる、前記基板を収容する筐体と、前記筐体を前方から覆う化粧カバーとを備え、前記筐体の外側面においては、前記前側筐体及び前記後側筐体のうちの一方に、前記前側筐体及び前記後側筐体のうちの他方との境界に沿って第一の突起が設けられ、前記化粧カバーの、前記外側面と対向する内面には、第二の突起が設けられ、前記化粧カバーは、前記第二の突起と前記第一の突起とが引っかかることにより前記筐体に取り付けられる。
【発明の効果】
【０００７】
本発明によれば、化粧カバーの取り外しが容易な制御装置が実現される。
【図面の簡単な説明】
【０００８】
【図１】図１は、実施の形態１に係る制御装置を含む、照明システムの構成を示す模式図である。
【図２】図２は、実施の形態１に係る制御装置の、上方から見た外観斜視図である。
【図３】図３は、実施の形態１に係る制御装置の、下方から見た外観斜視図である。
【図４】図４は、基板を前方から見た図である。
【図５】図５は、筐体に収容された状態の基板を前方から見た図である。
【図６】図６は、筐体を後方から見た図である。
【図７】図７は、実施の形態１に係る制御装置の壁への取り付けを説明するための図である。
【図８】図８は、化粧カバーの内側を上方から見た図である。
【図９】図９は、化粧カバーの内側を下方から見た図である。
【図１０】図１０は、第一の突起と第二の突起との係合部分を示す拡大断面図である。
【図１１】図１１は、上側面の傾斜を説明するための断面図である。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本発明を十分に理解するために添付図面および以下の説明を提供するのであって、これらによって特許請求の範囲に記載の主題を限定することを意図するものではない。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態１）
［制御装置の構成］
まず、実施の形態１に係る制御装置を含む、照明システムについて説明する。図１は、実施の形態１に係る制御装置を含む、照明システムの構成を示す模式図である。
【００１３】
図１に示される照明システム１００は、制御装置１０と、複数の照明器具１１０と、壁スイッチ１２０とを備える。
【００１４】
照明システム１００は、一般家庭（住宅）、店舗、または事務所等に用いられ、１以上（図１では、複数）の照明器具１１０の調光率等を、現在時刻や場面に応じて制御するための照明システムである。照明システム１００は、例えば、省エネ用途または演出用途でも用いられる。
【００１５】
制御装置１０は、例えば、住宅等の壁や制御盤に設置され、ユーザの操作に応じて照明器具１１０の調光やタイムスケジュールなどの制御を行う照明器具１１０用のコントローラである。制御装置１０は、具体的には、無線通信を用いて照明器具１１０に制御信号（例えば、調光信号）を送信することにより、照明器具１１０の制御（点灯、消灯、調光または調色）を行う。
【００１６】
壁スイッチ１２０は、制御装置１０及び複数の照明器具１１０への交流電力の供給をオン及びオフするための、壁に埋め込み設置されるスイッチである。交流電力は、電力系統１３０から供給される。ユーザは、壁スイッチ１２０の押下により、制御装置１０への電源のオン及びオフと、複数の照明器具１１０の点灯及び消灯とを制御することができる。
【００１７】
照明器具１１０は、機器の一例であって、制御装置１０によって制御される。照明器具１１０の光源としては、ＬＥＤが用いられる。また、実施の形態１では、照明器具１１０は、調色機能に対応しており、照明器具１１０には、発光色が異なる少なくとも２種類のＬＥＤが用いられている。
【００１８】
なお、照明器具１１０は、ＬＥＤが用いられた構成に限定されるものではない。例えば、照明器具１１０には、光源として、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子が用いられてもよい。また、照明器具１１０には、光源として蛍光灯が用いられてもよい。
【００１９】
照明システム１００を使用するユーザは、照明器具１１０を点灯または消灯させたい場合には、制御装置１０または壁スイッチを操作すればよい。また、ユーザは、照明器具１１０の調光または調色を行いたい場合、制御装置１０を操作すればよい。
【００２０】
以下、制御装置１０の具体的な構成について説明する。なお、以下の説明では、制御装置１０を壁に取り付けた場合の室内側（図中のＺ軸方向＋側）は、「前」、その反対側（Ｚ軸方向−側）は、「後」と表現される。図中のＹ軸方向は、制御装置１０が壁に取り付けられた場合の鉛直方向に相当し、Ｙ軸方向＋側は、「上」、Ｙ軸方向−側は、「下」のように表現される。図中のＸ軸方向＋側は、「左」、Ｘ軸方向−側は、「右」のように表現される。
【００２１】
また、以下の説明における「平面視形状」は、特に断りのない限り、前後方向（Ｚ軸方向）から見た形状を意味する。
【００２２】
［制御装置の全体構成］
まず、制御装置１０の全体構成について説明する。図２は、上方から見た制御装置１０の外観斜視図である。図３は、下方から見た制御装置１０の外観斜視図である。なお、図２及び図３においては、化粧カバー４０が取り外された状態の制御装置１０が図示されている。
【００２３】
図２及び図３に示されるように、制御装置１０は、基板２０と、基板２０を収容する筐体３０と、筐体３０を前方から覆う化粧カバー４０とを備える。筐体３０は、具体的には、前側筐体５０と、後側筐体６０とからなり、前側筐体５０に含まれる前板５１（前面５１ａ）には、スケジュールボタン７１、調光ボタン７２、ＯＦＦ／ＯＮボタン７３、及び、設定ボタン７４などの、ユーザによって操作されるボタンが複数配置される。また、前板５１には、表示部７０及び発光部７５も配置される。
【００２４】
［基板］
まず、基板２０について、図２及び図３に加えて図４及び図５を参照しながら説明する。図４は、基板２０を前方から見た図である。図５は、筐体３０に収容された状態の基板２０を前方から見た図である。
【００２５】
図２〜図５に示されるように、基板２０は、平面視形状が矩形の基板である。基板２０は、例えば、ガラスエポキシなどの樹脂を基材とする樹脂基板であるが、アルミニウム合金などの金属を基材とするメタルベース基板であってもよいし、アルミナなどのセラミックを基材とするセラミック基板であってもよい。
【００２６】
基板２０には、回路部品（回路）が実装される。基板２０は、具体的には、前側筐体５０と対向する第一主面と、第一主面と反対側の、後側筐体６０と対向する第二主面とを有し、第一主面は、主として、回路部品の部品本体が配置される実装面として使用される。また、第二主面は、半田面として使用される。なお、一部の回路部品が第二主面を実装面として実装されてもよい。また、第二主面が実装面として使用され、第一主面が半田面として使用されてもよい。
【００２７】
図４に模式的に図示されるように、基板２０の第一主面には、具体的には、制御回路２１及び電源回路２２が実装される。基板２０の第一主面においては、制御回路２１及び電源回路２２は、それぞれまとまって別々の領域に実装されている。
【００２８】
制御回路２１は、ボタンへの操作に応じて照明器具１１０を制御するための信号（以下、制御信号と記載する）を出力する。制御回路２１は、例えば、調光ボタン７２への操作に応じて照明器具１１０を調光制御するための制御信号を出力する。
【００２９】
制御回路２１には、前板５１に配置されたボタンの押下を検知するための検知回路、及び、照明器具１１０に制御信号を送信（出力）する通信回路が含まれる。通信回路は、より具体的には、特定小電力無線、ｂｌｕｅｔｏｏｔｈ（登録商標）、または、無線ＬＡＮ（例えば、Ｗｉ−Ｆｉ（登録商標））などの通信規格に対応した通信回路である。
【００３０】
また、制御回路２１には、表示部７０に時刻等の表示を行うための表示制御回路、及び、発光部７５を発光させるための、複数のＬＥＤ及びその点灯回路なども含まれる。
【００３１】
なお、制御回路２１には、プロセッサまたはマイクロコンピュータなどが含まれてもよい。また、制御回路２１には、半導体メモリなどの記憶装置が含まれてもよい。
【００３２】
電源回路２２は、制御装置１０の外部（例えば、電力系統１３０）から供給される交流電力を直流電力に変換し、当該直流電力を制御回路２１に供給する。電源回路２２は、具体的には、スイッチング電源回路である。電源回路２２には、電解コンデンサもしくはセラミックコンデンサ等の容量素子、抵抗素子、コイル素子、チョークコイル（チョークトランス）、ノイズフィルタ、及び、ダイオードもしくは集積回路素子等の半導体素子等の回路部品が含まれる。
【００３３】
電源回路２２は、基板２０の隅部に実装される。実施の形態１では、電源回路２２は、基板２０の第一主面のうち、Ｘ軸方向＋側で、Ｙ軸方向−側の隅部に実装されるが、電源回路２２が実装される領域は、特に限定されない。
【００３４】
図５に示されるように、制御装置１０においては、前板５１に、電源回路２２の周囲を囲い、電源回路２２と制御回路２１とを隔てる隔壁９０が形成されている。隔壁９０は、具体的には、左側面３４ａを有する左側板３４の一部である隔壁部５４ａと、下側面３５ａを有する下側板３５の一部である隔壁部５５ａと、仕切り板５７と、仕切り板５８とからなる。隔壁９０は、故障などにより電源回路２２が発火した場合に防火壁となる。隔壁９０によれば、ユーザへの発火の影響を低減し、電源回路２２の故障時における安全性が向上される。
【００３５】
［前側筐体］
次に、筐体３０について上述の図２及び図３を参照しながら説明する。筐体３０は、基板２０を収容する略直方体状の外形を有する筐体である。筐体３０は、具体的には、第一主面に対向する前板５１と、第二主面に対向する後板６５とを有する。前板５１には前面５１ａが含まれ、後板６５には後面６５ａが含まれる。前面５１ａ及び後面６５ａは、いずれも平面である。
【００３６】
また、筐体３０は、基板２０を側方から囲む、略矩形平板状の、上側板３３、左側板３４、下側板３５、及び、右側板３６を有する。上側板３３は、筐体３０の外側面である上側面３３ａを有し、左側板３４は、筐体３０の外側面である左側面３４ａを有する。下側板３５は、筐体３０の外側面である下側面３５ａを有し、右側板３６は、筐体３０の外側面である右側面３６ａを有する。
【００３７】
上述のように、筐体３０は、具体的には、前側筐体５０と、後側筐体６０とからなる。前側筐体５０と後側筐体６０とは、例えば、ネジにより固定されて筐体３０を形成する。
【００３８】
前側筐体５０は、第一主面側から基板２０を覆う、後方側が開口した略直方体の箱状の部材である。前側筐体５０は、具体的には、ＡＢＳ樹脂により形成されるが、ＰＢＴ樹脂などその他の樹脂により形成されてもよいし、金属により形成されてもよい。前側筐体５０には、前板５１が含まれる。また、前側筐体５０には、基板２０の側方に位置する、上側板３３、左側板３４、下側板３５、及び、右側板３６それぞれの一部（Ｚ軸方向＋側の一部）が含まれる。また、前側筐体５０には、上述の隔壁部５４ａ、隔壁部５５ａ、仕切り板５７、及び、仕切り板５８が含まれる。
【００３９】
前板５１は、前側筐体５０のうち、基板２０の第一主面に略平行な平板状の部位である。前板５１は、平面視形状が矩形であり、Ｘ軸方向に沿って延びる２つの長辺と、Ｙ軸方向にそって延びる２つの短辺とを有する。
【００４０】
前板５１には、ボタンが挿通される開口が設けられる。開口には、具体的には、スケジュールボタン７１、調光ボタン７２、及び、ＯＦＦ／ＯＮボタン７３が挿通される。
【００４１】
スケジュールボタン７１は、照明器具１１０のスケジュール設定をするためにユーザが操作するボタンである。スケジュール設定は、指定時間に照明器具１１０の明るさを自動で切替える機能である。前板５１には、６つのスケジュールボタンが配置される。スケジュール設定において、指定時間等の情報は表示部７０に表示される。
【００４２】
調光ボタン７２は、照明器具１１０の調光を制御するためにユーザが操作するボタンである。前板５１には、２つの調光ボタン７２が配置される。上側に位置する調光ボタン７２が押されると、照明器具１１０の調光レベルが上がって明るくなり、下側に位置する調光ボタン７２が押されると、照明器具１１０の調光レベルが下がって暗くなる。なお、調光レベルは、発光部７５が調光レベルに応じて発光することにより、視認可能である。
【００４３】
ＯＦＦ／ＯＮボタン７３は、照明器具１１０を消灯及び点灯するためにユーザが操作（押下）するボタンである。ユーザがＯＦＦ／ＯＮボタン７３を押すたびに、照明器具１１０の消灯と点灯とが切り替わる。
【００４４】
また、前板５１には、表示部７０及び発光部７５も設けられる。表示部７０は、上述のスケジュール設定において指定時間等の情報が表示される表示デバイスであって、具体的には、液晶パネル及び表示制御回路などからなる。発光部７５は、照明器具１１０の調光レベルを発光により表示する。発光部７５は、具体的には、前板５１から露出した導光板、筐体３０の内側から基板導光板に光を発するＬＥＤ、及びその点灯回路などから構成される。
【００４５】
また前板５１には、さらに、施工時に使用される設定ボタン７４及び赤外線受光部７６も設けられる。設定ボタン７４は、照明器具１１０と、制御装置１０との無線通信のペアリングを行うためのボタンである。赤外線受光部７６は、専用のリモートコントローラにより、施工用の指示を受け付けるための受光デバイスである。設定ボタン７４及び赤外線受光部７６は、施工後は通常、使用されないため、化粧カバー４０によって覆われ、外部からは視認できない。
【００４６】
［後側筐体］
次に、後側筐体６０について説明する。後側筐体６０は、第二主面側から基板２０を覆う、前方側が開口した略直方体の箱状の部材である。後側筐体６０は、具体的には、ＡＢＳ樹脂により形成されるが、ＰＢＴ樹脂などその他の樹脂により形成されてもよいし、金属により形成されてもよい。
【００４７】
後側筐体６０の全体形状は、前側筐体５０とＸ−Ｙ平面に対して対称的な形状であるが、後側筐体６０は、制御装置１０を構造物（例えば、壁）に取り付けるための取り付け構造を後面６５ａに有し、上述した複数のボタンなどが配置されない点が前側筐体５０と異なる。図６は、筐体３０を後方から見た図である。図７は、制御装置１０の壁への取り付けを説明するための図である。なお、図６は、より詳細には、後面６５ａに金具８０が取り付けられた状態の筐体３０を後方から見た図である。
【００４８】
図６及び図７には、制御装置１０を壁８５に取り付けるための略平板状の金具８０が示されている。制御装置１０の壁８５への取り付けにおいては、まず、金具８０がネジにより壁８５に取り付けられる。具体的には、ネジ挿通孔８１に壁８５と反対側から木ネジが挿通されることにより、金具８０が壁８５にネジ止めされる。
【００４９】
次に、金具８０に筐体３０が取り付けられる。具体的には、後側筐体６０の後面６５ａの上側に設けられた凹部６１に金具８０の上端側において折り曲げられて前方に突出した上端部８２がはめ込まれる。また、金具８０の下端部に設けられ、前方にアーチ状に突出した取り付け部８３と、壁８５との隙間に、後側筐体６０の後面６５ａの下側に設けられ、下側に向かって突出した凸部６２が上から挿入される。これにより、筐体３０が壁８５に取り付けられる。凹部６１及び凸部６２は、取り付け構造の一例である。
【００５０】
なお、図７に示されるように、制御装置１０が壁８５に埋め込まれずに取り付けられる場合、筐体３０の外側面が外部から視認可能となり、前側筐体５０と後側筐体６０との合わせ目（境界）が側方からユーザに見えてしまい見栄えが悪い。そこで、制御装置１０は、筐体３０の前面及び外側面を覆う化粧カバー４０を備える。
【００５１】
［化粧カバー］
次に、化粧カバー４０について上述の図２及び図３を参照しながら説明する。化粧カバー４０は、筐体３０を前方から覆う。化粧カバー４０は、具体的には、筐体３０の後面６５ａ以外の全ての面を実質的に覆う、後方が開口した略直方体の箱状の部材である。化粧カバー４０は、ＡＢＳ樹脂により形成されるが、ＰＢＴ樹脂などその他の樹脂により形成されてもよいし、金属により形成されてもよい。
【００５２】
化粧カバー４０は、さらに具体的には、前面５１ａを覆う前面カバー部４８と、上側面３３ａを覆う上側面カバー部４３と左側面３４ａを覆う左側面カバー部４４と、下側面３５ａを覆う下側面カバー部４５と、右側面３６ａを覆う右側面カバー部４６とを有する。各カバー部は、いずれもカバー対象の面に対応した大きさの略矩形平板状であり、カバー対象の面と略平行に配置される。
【００５３】
なお、前面カバー部４８には、スケジュールボタン７１、調光ボタン７２、ＯＦＦ／ＯＮボタン７３、表示部７０、及び、発光部７５を露出させるための開口４７が設けられている。
【００５４】
［化粧カバーの取り付け構造］
制御装置１０における、化粧カバー４０の取り付け構造について図２及び図３を参照しながら説明する。
【００５５】
図２に示されるように、筐体３０の上側面３３ａにおいては、後側筐体６０に前側筐体５０との境界に沿って第一の突起３１が設けられている。つまり、第一の突起３１は、上記境界を形成する後側筐体６０の端部に配置されている。ここで、境界とは、前側筐体５０と後側筐体６０の合わせ目を意味する。実施の形態１では、上記境界を示す境界線がＸ軸方向に延びており、第一の突起３１は、境界線に沿ってＸ軸方向に長い形状の突起であり、化粧カバー４０の取り付けに用いられる。第一の突起３１をＹ−Ｚ平面で切断した場合の断面形状は、手前側の一部が傾斜面となった略半円状（後述の図１０にて図示）である。
【００５６】
また、実施の形態１では、第一の突起３１は、後側筐体６０と一体形成されるが、前側筐体５０と一体形成されてもよい。つまり、筐体３０の上側面３３ａにおいては、前側筐体５０に、後側筐体６０との境界に沿って第一の突起３１が設けられてもよい。言い換えれば、第一の突起３１は、上記境界を形成する前側筐体５０の端部に配置されてもよい。
【００５７】
また、上記境界を形成する後側筐体６０の端部に配置された凸部と、上記合わせ目を形成された凸部が合わさることにより１つの第一の突起３１が形成されてもよい。なお、第一の突起３１は、前後方向（Ｚ軸方向）と交差する方向であるＸ軸方向に間隔をあけて２つ設けられる。
【００５８】
同様に、図３に示されるように、筐体３０の下側面３５ａにおいては、後側筐体６０に前側筐体５０との境界に沿って第一の突起３２が設けられている。第一の突起３２は、境界線に沿ってＸ軸方向に長い形状の突起であり、化粧カバー４０の取り付けに用いられる。第一の突起３２をＹ−Ｚ平面で切断した場合の断面形状は、第一の突起３１と同様に、手前側の一部が傾斜面となった略半円状である。
【００５９】
第一の突起３２も、後側筐体６０と一体形成されるが、前側筐体５０と一体形成されてもよい。つまり、筐体３０の上側面３３ａにおいては、前側筐体５０に、後側筐体６０との境界に沿って第一の突起３２が設けられてもよい。言い換えれば、第一の突起３２は、上記境界を形成する前側筐体５０の端部に配置されてもよい。
【００６０】
また、上記境界を形成する後側筐体６０の端部に配置された凸部と、上記合わせ目を形成された凸部が合わさることにより１つの第一の突起３２が形成されてもよい。第一の突起３２も、Ｘ軸方向に間隔をあけて２つ設けられるが、２つの第一の突起３１のＸ軸方向における間隔と、２つの第一の突起３２とのＸ軸方向における間隔とは異なる。
【００６１】
一方で、化粧カバー４０の内側には、第一の突起３１及び第一の突起３２に対応した突起が設けられている。図８は、化粧カバー４０の内側を上方から見た図であり、図９は、化粧カバー４０の内側を下方から見た図である。
【００６２】
図８に示されるように、化粧カバー４０の下側面カバー部４５のうち、下側面３５ａと対向する内面４５ａには、上記２つの第一の突起３２に対応して、２つの第二の突起４２が設けられる。また、図９に示されるように、化粧カバー４０の上側面カバー部４３のうち、上側面３３ａと対向する内面４３ａには、上記２つの第一の突起３１に対応して、２つの第二の突起４１が設けられる。第二の突起４１及び第二の突起４２をＹ−Ｚ平面で切断した場合の断面形状は、略半円状である。
【００６３】
化粧カバー４０を取り付ける際には、ユーザは、前方から化粧カバー４０を筐体３０に押し込む。そうすると、図１０に示されるように、第二の突起４１は、第一の突起３１を乗り越えて第一の突起３１の奥側（Ｚ軸方向−側）に引っかかる。図１０は、第一の突起３１と第二の突起４１との係合部分を示す断面図である。なお、図１０では、金具８０、壁８５、及び、基板２０なども図示されている。
【００６４】
同様に、ユーザが前方から化粧カバー４０を筐体３０に押し込むと、第二の突起４２は、第一の突起３２を乗り越えて第一の突起３２の奥側に引っかかる。
【００６５】
このように、第一の突起と第二の突起とが係合することにより、化粧カバー４０が筐体３０に取り付けられる。
【００６６】
［効果等］
従来、筐体の後面に化粧カバーの爪が係合する構造が知られているが、このような構造では、化粧カバーが取り外しにくい場合があった。例えば、筐体を壁から取り外さなければ化粧カバーが取り外せないような場合があった。
【００６７】
これに対し、制御装置１０においては、筐体の後面ではなく、筐体３０の側面に設けられた第一の突起３１及び第一の突起３２に化粧カバー４０が係合する。このため、化粧カバー４０の取り外しが容易である。例えば、制御装置１０は、筐体３０を壁から取り外さなくても化粧カバー４０の着脱が可能であり、上述の筐体の後面に化粧カバーの爪が係合する構造よりも化粧カバー４０の取り外しが容易である。
【００６８】
また、筐体が前側筐体及び後側筐体からなる場合、前側筐体及び後側筐体の製造上の寸法のばらつきにより、前側筐体と後側筐体との境界は段差になることがある。上述の筐体の後面に化粧カバーの爪が係合する構造においては、このような段差が化粧カバーの内面と干渉することにより、化粧カバーの取り付け及び取り外しが難しい場合があった。
【００６９】
これに対し、制御装置１０においては、前側筐体５０と後側筐体６０との境界付近に第一の突起３１及び第一の突起３２が設けられ、化粧カバー４０の寸法は、第一の突起３１及び第一の突起３２の出っ張りを考慮して定められる。このため、上述のような段差が、化粧カバー４０の内面４３ａと干渉することが抑制され、化粧カバー４０の取り付け及び取り外しが容易となる。
【００７０】
また、図２に示されるように、筐体３０の上側面３３ａには、前後方向（Ｚ軸方向）に延びる、第二の突起４１に対応した幅の溝部３１ａが設けられている。溝部３１ａは、筐体３０の上側面３３ａにおいて下側（筐体３０の内側）に向かって凹んだ部分である、そして、第一の突起３１は、溝部３１ａのうち前側筐体５０と後側筐体６０との境界付近に設けられている。
【００７１】
これにより、第二の突起４１と、上側面３３ａとの干渉が抑制されるため、化粧カバー４０の取り付け及び取り外しをさらに容易にすることができる。また、溝部３１ａは、第二の突起４１のガイドとしても機能する。なお、図３に示されるように、第一の突起３２も、下側面３５ａが有する溝部３２ａのうち前側筐体５０と後側筐体６０との境界付近に設けられている。
【００７２】
また、前側筐体５０及び後側筐体６０は、具体的には、金型を用いた射出成型により形成される。制御装置１０のように、第一の突起３１が境界を形成する後側筐体６０の端部に配置されると、後側筐体６０の金型の端部において第一の突起３１を成型することができ、後側筐体６０を金型から取り外しやすいため、後側筐体６０の射出成型が容易となる。第一の突起３１が境界を形成する前側筐体５０の端部に配置される場合も同様であり、前側筐体５０の射出成型が容易となる。
【００７３】
また、図１１に示されるように、上側面３３ａは、前後方向（Ｚ軸方向）において、境界部分に近づくほど外方（Ｙ軸方向＋側）に位置するように傾斜している。図１１は、上側面３３ａの傾斜を説明するための断面図である。図１１に例示されるように、第一の突起３１よりも奥側においては、上側面３３ａは、θ１だけ傾斜し、第一の突起３１よりも手前側においては、上側面３３ａは、θ２だけ傾斜している。溝部３１ａも同様に傾斜している。なお、詳細については図示されないが、下側面３５ａも、前後方向（Ｚ軸方向）において、境界部分に近づくほど外側（Ｙ軸方向−側）に位置するように傾斜しており、下側面３５ａに設けられた溝部３２ａも同様である。
【００７４】
これにより、化粧カバー４０を取り外すときには、第二の突起４１が第一の突起３１を手前側に乗り越えると、化粧カバー４０が手前に来るほど第二の突起４１と上側面３３ａ（溝部３１ａ）との隙間が大きくなる。同様に、第二の突起４２が第一の突起３２を手前側に乗り越えると、化粧カバー４０が手前に来るほど第二の突起４２と下側面３５ａ（溝部３２ａ）との隙間が大きくなる。このため、化粧カバー４０の取り外しが容易となる。また、このような傾斜構造によれば、金型から前側筐体５０または後側筐体６０を取り外すときに、取り外しが容易となる効果もある。
【００７５】
［まとめ］
制御装置１０は、機器を制御するための制御装置１０である。制御装置１０は、機器を制御するための信号を出力する制御回路２１と、第一主面と第一主面と反対側の第二主面とを有し、制御回路２１が実装された基板２０とを備える。また、制御装置１０は、前面５１ａを含み、第一主面側から基板２０を覆う前側筐体５０と、前面５１ａと反対側の後面６５ａを含み、第二主面側から基板２０を覆う後側筐体６０とからなる、基板２０を収容する筐体３０を備える。また、制御装置１０は、筐体３０を前方から覆う化粧カバー４０を備える。筐体３０の上側面３３ａにおいては、前側筐体５０及び後側筐体６０のうちの一方に、前側筐体５０及び後側筐体６０のうちの他方との境界に沿って第一の突起３１が設けられる。化粧カバー４０の、上側面３３ａと対向する内面４３ａには、第二の突起４１が設けられ、化粧カバー４０は、第二の突起４１と第一の突起３１とが引っかかることにより筐体３０に取り付けられる。機器は、具体的には、照明器具１１０であり、上側面３３ａは、外側面の一例である。
【００７６】
これにより、筐体３０の側面に設けられた第一の突起３１に化粧カバー４０が引っかかるため、化粧カバー４０の取り外しが容易となる。つまり、化粧カバー４０の取り外しが容易な制御装置１０が実現される。
【００７７】
また、上側面３３ａには、前後方向に延びる、第二の突起４１に対応した幅の溝部３１ａが設けられ、第一の突起３１は、溝部３１ａに設けられてもよい。
【００７８】
これにより、第二の突起４１と、上側面３３ａとの干渉が抑制されるため、化粧カバー４０の取り付け及び取り外しをさらに容易にすることができる。
【００７９】
また、上側面３３ａは、前後方向において、境界に近づくほど外方に位置するように傾斜していてもよい。
【００８０】
これにより、化粧カバー４０を取り外すときには、第二の突起４１が第一の突起３１を手前側に乗り越えると、化粧カバー４０が手前に来るほど第二の突起４１と上側面３３ａ（溝部３１ａ）との隙間が大きくなるため、化粧カバー４０の取り外しが容易となる。
【００８１】
また、第一の突起３１は、前後方向と交差する方向に間隔を空けて複数設けられ、第二の突起４１は、化粧カバー４０の内面４３ａに、第一の突起３１に対応して複数設けられてもよい。前後方向と交差する方向は、例えば、左右方向（Ｘ軸方向）である。
【００８２】
これにより、前後方向と交差する方向に間隔を空けて設けられた複数の第二の突起４１によって化粧カバー４０を筐体３０に取り付けることができる。
【００８３】
また、筐体３０は、上側面３３ａと、上側面３３ａの反対側の下側面３５ａとを含んでもよい。第一の突起は、上側面３３ａ及び下側面３５ａのそれぞれにおいて、前側筐体５０と後側筐体６０のうちの一方に、前側筐体５０と後側筐体６０のうちの他方との境界に沿って設けられてもよい。具体的には、上側面３３ａに第一の突起３１が設けられ、下側面３５ａに第一の突起３２が設けられてもよい。なお、上側面３３ａは、第一の外側面の一例であり、下側面３５ａは、第二の外側面の一例である。
【００８４】
また、第二の突起は、上側面３３ａと対向する、化粧カバー４０の内面４３ａ、及び、下側面３５ａと対向する、化粧カバー４０の内面４５ａのそれぞれに設けられてもよい。具体的には、内面４３ａに第二の突起４１が設けられ、内面４５ａに第二の突起４２が設けられてもよい。なお、内面４３ａは、第一の内面の一例であり、内面４５ａは、第二の内面の一例である。
【００８５】
そして、化粧カバー４０は、内面４３ａに設けられた第二の突起４１と上側面３３ａに設けられた第一の突起３１とが引っかかり、かつ、内面４５ａに設けられた第二の突起４２と下側面３５ａに設けられた第一の突起３２とが引っかかることにより筐体３０に取り付けられてもよい。
【００８６】
これにより、第二の突起４１及び第二の突起４２によって化粧カバー４０を筐体３０に取り付けることができる。
【００８７】
また、筐体３０は、略直方体状であってもよい。前側筐体５０は、前方側の面が前面５１ａであり、かつ、後方側が開口した略直方体の箱状であってもよい。後側筐体６０は、後方側の面が後面６５ａであり、かつ、前方側が開口した略直方体の箱状であってもよい。化粧カバー４０は、後方側が開口した略直方体の箱状であってもよい。
【００８８】
これにより、制御装置１０を略直方体状に形成することができる。
【００８９】
また、制御装置１０は、さらに、ユーザによって操作される、前面５１ａに配置されたボタンと、後面６５ａに取り付けられる、筐体３０を壁８５に取り付けるための金具８０とを備えてもよい。ボタンは、具体的には、スケジュールボタン７１、調光ボタン７２、及び、ＯＦＦ／ＯＮボタン７３などである。
【００９０】
これにより、制御装置１０は、ユーザの操作に応じて機器を制御することができる。また、ユーザは、筐体３０を壁８５に取り付けることができる。
【００９１】
また、機器は、照明器具１１０であり、制御回路２１は、照明器具１１０を調光制御するための信号を出力してもよい。
【００９２】
これにより、制御装置１０は、照明器具１１０の調光を制御することができる。
【００９３】
（その他の実施の形態）
以上のように、本出願において開示する技術の例示として、実施の形態１を説明した。しかしながら、本発明における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態をまとめて説明する。
【００９４】
例えば、上記実施の形態では、筐体の形状は、略直方体状であるが、他の形状であってもよい。
【００９５】
また、上記実施の形態で説明された第一の突起及び第二の突起の配置は一例であり、特に限定されない。例えば、第一の突起は、上側面及び下側面に代えて、左側面及び右側面に設けられてもよい。また、例えば、第一の突起は、上側面及び下側面に加えて、左側面及び右側面に設けられてもよい。第二の突起についても同様である。
【００９６】
また、上記実施の形態で説明された第一の突起の数及び第二の突起の数は一例であり、特に限定されない。例えば、筐体の上側面には、第一の突起が１つだけ設けられてもよいし、３つ以上設けられてもよい。第二の突起についても同様である。また、第一の突起の形状及び大きさ、並びに、第二の突起の形状及び大きさについても、化粧カバー４０を取り付けることができるのであれば特に限定されない。
【００９７】
また、上記実施の形態に係る制御装置は、無線通信により照明器具に制御信号を送信したが、電力線搬送通信（ＰＬＣ：Ｐｏｗｅｒ  Ｌｉｎｅ  Ｃｏｍｍｕｎｉｃａｔｉｏｎ）などの有線通信によって制御信号を送信してもよい。
【００９８】
また、上記実施の形態では、ユーザによって操作されるボタンは、ハードウェアボタンであるが、ボタンは、表示部に表示されたＧＵＩ（Ｇｒａｐｈｉｃａｌ  Ｕｓｅｒ  Ｉｎｔｅｒｆａｃｅ）とタッチパネルなどの入力デバイスとの組み合わせにより実現されてもよい。
【００９９】
また、上記実施の形態に係る制御装置は、照明器具１１０の制御に用いられたが、本発明は、エアコンなど、その他の機器（電気機器）の制御装置として実現されてもよい。
【０１００】
以上のように、本発明における技術の例示として、実施の形態を説明した。そのために、添付図面及び詳細な説明を提供した。
【０１０１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０２】
また、上述の実施の形態は、本発明における技術を例示するためのものであるから、特許請求の範囲またはその均等の範囲において種々の変更、置き換え、付加、省略などを行うことができる。
【符号の説明】
【０１０３】
１０  制御装置
２０  基板
２１  制御回路
３０  筐体
３１、３２  第一の突起
３１ａ、３２ａ  溝部
３３ａ  上側面（外側面、第一の外側面）
３５ａ  下側面（第二の外側面）
４０  化粧カバー
４１、４２  第二の突起
４３ａ、４５ａ  内面
５０  前側筐体
５１ａ  前面
６０  後側筐体
６５ａ  後面
７１  スケジュールボタン（ボタン）
７２  調光ボタン（ボタン）
７３  ＯＦＦ／ＯＮボタン（ボタン）
８０  金具
８５  壁
１１０  照明器具
【図１】
0006653468.tif 000002
【図２】
0006653468.tif 000003
【図３】
0006653468.tif 000004
【図４】
0006653468.tif 000005
【図５】
0006653468.tif 000006
【図６】
0006653468.tif 000007
【図７】
0006653468.tif 000008
【図８】
0006653468.tif 000009
【図９】
0006653468.tif 000010
【図１０】
0006653468.tif 000011
【図１１】
0006653468.tif 000012